(57)【要約】【課題】微生物増殖床を総合的に最適条件に整えて、良好な状態で糞尿を分解させる微生物分解便槽を提供する。【解決手段】微生物増殖床を形成した便槽に、ヒーターと注水手段と攪拌翼とを設けてなる微生物分解便槽において、▲１▼時計回路に設定された時間毎に微生物増殖床に水分を供給する手段と、▲２▼便所が使用されるごとにより上記時計回路をリセットする手段と、▲３▼便所の使用回数が設定回数を越えると使用禁止および／または施錠する手段と、▲４▼上記▲３▼の手段の作動と同時に解錠タイマーが始動し、設定された時間後に上記▲３▼の手段を解除する手段とからなる。【選択図】　図１
2004033364.tif 000002
【特許請求の範囲】
【請求項１】
微生物増殖床を形成した便槽に、ヒーターと注水手段と攪拌翼とを設けた微生物分解便槽において、▲１▼時計回路に設定された時間毎に微生物増殖床に水分を供給する手段と、▲２▼便所が使用されるごとに上記時計回路をリセットする手段と、▲３▼便所の使用頻度が設定値を越えると使用停止および／または施錠する手段と、▲４▼上記▲３▼の手段の作動と同時に解錠タイマーが始動し、設定された時間後に上記▲３▼の手段を解除する手段とからなることを特徴とする微生物分解便槽。
【請求項２】
上記▲１▼の設定条件は、微生物増殖床中の水分量が糞尿中の水分量を含めて一日当たり２リットル〜１２リットルになるようにし、上記▲３▼の設定回数は、一日当たり最大６０回であり、上記▲４▼の設定時間は６〜１４時間とすることを特徴とする請求項１に記載の微生物分解便槽
【請求項３】
上記微生物分解便槽の攪拌翼は、少なくとも３時間に一回、１０から１２０秒間運転するようにしたことを特徴とする請求項１または２に記載の微生物分解便槽。
【請求項４】
上記攪拌翼の回転速度は３〜２０ｒｐｍとしたことを特徴とする請求項１乃至３のいずれかに記載の微生物分解便槽。
【請求項５】
上記微生物増殖床を４８〜８５℃の温度範囲で制御することを特徴とする請求項１乃至４のいずれかに記載の微生物分解便槽。
【発明の詳細な説明】
【０００１】
【発明の属する技術分野】
この発明は微生物分解便槽であって、糞尿を良好な状態で分解する微生物分解便槽に関する。
【０００２】
【従来の技術】
微生物分解便槽は、便槽中に形成した微生物増殖床を適度の温度、水分量に保ち、この微生物増殖床に糞尿を落とし、適度に攪拌して上記糞尿を分解するようにしたものである。
【０００３】
【発明が解決しようとする課題】
上記微生物分解便槽は、その微生物増殖床の微生物が、最もよく増殖（活動）できる温度と水分量に保たれているとき糞尿が効果的に分解するが、温度が低くなり、使用頻度が高くなって増殖床の水分量が多くなると、微生物の増殖活動が鈍くなり糞尿の分解が弱まって何時までも生の状態が続き悪臭を発する。
【０００４】
増殖床は、微生物を活発に増殖（活動）させるために一定の温度に加温しており、そのために水分が蒸発し、このまま放置していると増殖床が乾燥し、微粉が舞い上がり利用者に不快感を与えるので適度に注水している。
【０００５】
また、増殖床の温度が低いときは糞尿の分解が遅くなるだけてはなく蛆などの発生の原因となり利用者に一層不快感を与えることとなる。
【０００６】
また、攪拌回数が多すぎると微生物の増殖が阻害され糞尿の分解が進まなくなる。
【０００７】
以上の諸点に鑑みこの発明は、微生物増殖床を総合的に最適状態に整えて、良好な状態で糞尿を分解させる微生物分解便槽を提供することを課題とする。
【０００８】
【課題を解決するための手段】
上記課題を解決するためにこの発明は、微生物増殖床を形成した便槽に、ヒーターと注水手段と攪拌翼とを設けた微生物分解便槽において、▲１▼時計回路に設定された時間毎に微生物増殖床に水分を供給する手段と、▲２▼便所が使用されるごとに上記時計回路をリセットする手段と、▲３▼便所の使用頻度が設定値を越えると使用禁止および／または施錠する手段と、▲４▼上記▲３▼の手段の作動と同時に解錠タイマーが始動し、設定された時間後に上記▲３▼の手段を解除する手段とからなり（請求項１）、上記▲１▼の設定条件は、微生物増殖床中の水分量が糞尿中の水分量を含めて一日当たり２リットル〜１２リットルになるようにし、▲３▼の設定回数は、一日当たり最大６０回であり、▲４▼の設定時間は６〜１４時間とし（請求項２）、上記微生物分解便槽の攪拌翼は、少なくとも３時間に一回、１０から１２０秒間運転するようにし（請求項３）、上記攪拌翼の回転速度は３〜２０ｒｐｍとし（請求項４）、上記微生物増殖床を４８〜８５℃の温度範囲で制御する（請求項５）ように構成したものである。
【０００９】
上記▲１▼の設定条件を微生物増殖床中の水分量が糞尿中の水分量を含めて一日当たり２リットル〜１２リットルになるようにするのは微生物増殖床における微生物の活発な増殖を保障し、かつ乾燥により微粉が舞い上がらないようにするためのものである。なお、ここで一回の糞尿中の水分量を約２００ｃｃとした。
【００１０】
上記▲３▼の設定回数を一日当たり最大６０回としたのは、季節的影響があるが便所の使用回数が多くなると、微生物による糞尿の分解が追いつかなくなり、加えて、微生物増殖床の水分量が多くなって増殖が低下し分解も低下するからである。なお、この設定回数は▲１▼の設定と関連し６０回使用されると糞尿中の水分量だけで１２リットルになるからである。
【００１１】
上記▲４▼の設定時間を６〜１４時間とするのは、季節的変化や微生物増殖床の保温状態にもよるが、微生物増殖床に能力の限界まで糞尿が排泄された状態から、その糞尿が分解されて、新たに排泄される糞尿を分解できる能力を回復するのに要する時間である。
【００１２】
上記微生物分解便槽の攪拌翼の運転を少なくとも３時間に一回、１０から１２０秒間運転し、回転速度を３〜２０ｒｐｍとするのは、長時間攪拌なしで放置すると、増殖床の構成材料が便槽の内面にこびりつき、攪拌し過ぎると微生物の増殖と糞尿の分解が阻害され、適度に攪拌することにより糞尿を増殖床に分散させ分解を促進させるためのものである。なお、攪拌翼の回転数は、設計時に上記範囲の回転数になるようにギヤーレシオが選択されたもので、実際の攪拌翼の回転数は固定である。
【００１３】
上記微生物増殖床を４８〜８５℃の温度範囲で制御するのは、微生物の増殖床における増殖を盛んに行わせ、かつ蛆などの発生を阻止しながら糞尿の分解を行わせるためである。
【００１４】
なお、上記微生物増殖床には、特開平６−３０３９６８号で提案されている「好熱性放線菌」や同公開公報に記載の「好熱性繊維素分解菌」のようなものを採用することができる。
【００１５】
上記の如く構成するこの発明によれば、微生物増殖床が適度の水分量と温度に維持され適度に攪拌されることにより、微生物の増殖が活発になり糞尿の分解が速やかに進行する、また増殖床の温度を高く設定しているので蛆の発生がなく、増殖床の乾燥による微粉の舞い上がりが起きない。
【００１６】
【発明の実施の形態】
次にこの発明の実施形態を図面を参照しながら説明する。図１において左側は制御盤側を、右側は便所・便槽側を示す。
【００１７】
制御盤には、Ａは注水ポンプの運転間隔と注水量（運転時間）、Ｂは便所の使用回数のカウンターに使用回数の上限、Ｃは解錠タイマーに使用禁止（施錠）から使用再開（解錠）までの時間、Ｄは攪拌タイマーに攪拌モーターの運転間隔と運転時間、Ｅは便槽の調節温度のそれぞれを設定する。
【００１８】
ここで発明者等は、８０リットルの便槽に、上記好熱性放線菌を着床させたアースラブチップ（有限会社アースラブ・日本社の製品商品名）２５リットルと、攪拌効果、菌の生息条件、分解済汚物の処分性などを高めるための杉材バーク８リットルとを混合投入して微生物培養床を形成した便所を用い、３１週間にわたる実験結果から、Ａは１〜６回×２００ｃｃ／１日、Ｂは２０〜６０回／１日、Ｃは６〜１４時間、Ｄは０．５〜３時間毎に１回×３０秒、Ｅは４８〜８５℃の範囲で設定できることを確認した。なお、上記数値は、フィールドテストの中から得たもので、気象・環境条件により変化する。
【００１９】
制御盤において、Ａは２４，１２，６，４，２時間毎に８００，６００，４００，２００ｃｃ注水するように、Ｂは１日に１０，２５，４０，５０，６０回、Ｃは６，８，１０，１２，１４時間、Ｄは０．５，１，１．５，２，２．５，３時間毎に１５，３０，４５，６０，１２０秒、Ｅは５０，６０，７５，８５℃に設定できるようにしている。従って上記設定は、上述の条件に合致するように選択する必要がある。
【００２０】
次に、Ａを４時間、Ｂを２５回、Ｃを１２時間、Ｄを１時間毎に３０秒（攪拌翼の回転数１０ｒｐｍ）、Ｅを７５℃に設定した実施例を図２、図３も参照しながら説明する。
【００２１】
微生物増殖床１２は７５℃に制御され、便所２５が使用されるとセンサー１７により使用が確認され使用回数計数器Ｂに計数指令▲３▼がだされ、注水タイマーＡにリセット指令▲２▼がだされる。
【００２２】
ここで４時間にわたって便所が使用されないときは、注水タイマーＡから注水ポンプ１８に注水指令▲１▼がでて６００ｃｃの水が便器１９を経て便槽１１に注水される。
【００２３】
使用回数計数器Ｂが１日２５回計数すると便所２５に対し使用禁止および施錠指令▲４▼がでて便所２５の使用が止められ、注水タイマー停止指令▲５▼と解錠タイマー始動指令▲６▼がだされる。
【００２４】
解錠タイマーＣの設定時間（１２時間）が経過すると解錠・使用禁止解除指令▲７▼と注水タイマーＡにリセット指令▲２▼がでて便所２５の使用が再開される。
【００２５】
攪拌モーター２０には、設定された運転間隔（１時間）毎に攪拌指令▲８▼がだされ設定時間（３０秒）攪拌される。
【００２６】
【発明の効果】
以上説明した如くこの発明によれば、微生物増殖床が適度の水分量と温度に維持され適度に攪拌されることにより、微生物の増殖が活発になり糞尿の分解が速やかに進行する。また、増殖床の温度を高く設定しているので蛆の発生がなく、適度の給水により増殖床が乾燥せず微粉が舞い上がることがない。
【図面の簡単な説明】
【図１】この発明に係る微生物分解便槽の制御フロー
【図２】同微生物分解便槽の断面図
【図３】同微生物分解便槽を装備した便所の部分断面図
【符号の説明】
１０　微生物分解便槽
１１　便槽
１２　微生物増殖床
１３　ヒーター
１４　水槽
１５　回転軸
１６　攪拌翼
１６ａ　　攪拌翼（スクレイパー付き）
１６ｂ　　攪拌翼（中間用）
１７　センサー
１８　注水ポンプ
１９　便器
２０　攪拌モーター
２２　スクレイパー
２３　配管
２５　便所
２６　ソーラー発電板
Ａ　給水タイマー
Ｂ　使用回数計数器
Ｃ　解錠タイマー
Ｄ　攪拌タイマー
Ｅ　便槽の温度調節器
【図１】
2004033364.tif 000003
【図２】
2004033364.tif 000004
【図３】
2004033364.tif 000005